(57)【要約】【課題】駆動源及び駆動力伝達機構を大型化することなく、役物の斬新な動作を実現できる遊技機を提供する。【解決手段】遊技盤２６に設けられる装飾部材２００を備えたパチンコ機１０であって、装飾部材２００は、所定の軸回りに回転する大型風車２４２と、大型風車２４２を回転駆動する駆動モータ２５８と、所定の軸回りに回転するアーム部材２０２と、アーム部材２０２を回転駆動するソレノイド２３１と、アーム部材２０２に所定の軸回りの回転が可能となるように設けられソレノイド２３１によりアーム部材２０２が所定の軸回りに回転したときに作用する慣性力を受けて回転する小型風車２２０と、を備える。【選択図】      図５
2010029587.tif 000002
【特許請求の範囲】
【請求項１】
遊技盤に設けられる装飾部材を備えた遊技機であって、
前記装飾部材は、
所定の軸回りに回転する第１役物と、
前記第１役物を回転駆動する第１駆動源と、
所定の軸回りに所定の回転角度の範囲で往復回転運動するアーム部材と、
前記アーム部材を回転駆動する第２駆動源と、
前記アーム部材に所定の軸回りの回転が可能となるように設けられ、前記第２駆動源により前記アーム部材が所定の軸回りに所定の回転角度の範囲で往復回転運動したときに発生する慣性力を受けて回転する第２役物と、
を備える遊技機。
【請求項２】
前記第２役物は、回転軸を備え、
前記アーム部材は、前記回転軸が挿通され前記回転軸の径よりも大きな径の孔部を有し、
前記第２役物は、前記回転軸が前記孔部に挿通されて前記アーム部材に設けられる請求項１に記載の遊技機。
【請求項３】
前記回転軸に、前記第２役物の重量よりも大きな重量の錘部を備え、前記アーム部材の前記往復回転運動又は前記第２役物の所定の軸回りの回転に伴い揺動する振り子部材を設けた請求項１又は２に記載の遊技機。
【発明の詳細な説明】
【技術分野】
【０００１】
本発明は、遊技球や遊技メダルなどの遊技媒体を用いて遊技を行うパチンコ機やスロットマシンなどの遊技機に関する。
【背景技術】
【０００２】
従来から、一つの駆動源で複数の役物を回転させるパチンコ機が知られている。ここで、一つの駆動源で複数の役物を回転させる場合には、駆動源の駆動力を複数の役物に伝達させる必要があるため、歯車などの駆動力伝達機構を用いなければならない。特に、役物の個数が多ければ多いほど、駆動力伝達機構の個数も増加する。
【特許文献１】特開平９−５４５５号公報
【特許文献２】特開２００７−１９５８１０号公報
【発明の開示】
【発明が解決しようとする課題】
【０００３】
ところが、一つの駆動源で複数の役物を回転させる構成は、上記した駆動力伝達機構により実現可能になるが、駆動力伝達機構の構成が複雑になり、大型化する問題がある。この問題は、複数の役物の個数が増加するにつれて顕著になる。駆動力伝達機構が大型化することにより、駆動力伝達機構を設けるための必要なスペースを確保しなければならず、スペースが限られているパチンコ機の遊技盤に大型の駆動力伝達機構を設けることは困難となる。
【０００４】
以上のように、役物の回転動作をダイナミックかつ斬新なものにするためには、大型の駆動力伝達機構が必要になるが、上述した通り、スペースやコストの関係で制限されることになる。このため、小型の駆動力伝達機構により実現される役物の回転動作は、ありふれたものであり、かつ小さくまとまるものになり、遊技性の向上に寄与する機能を持ったものではなかった。
【０００５】
そこで、本発明は、駆動源及び駆動力伝達機構を大型化することなく、役物の斬新な動作を実現できる遊技機を提供することを目的とする。
【課題を解決するための手段】
【０００６】
請求項１に記載の発明は、遊技盤に設けられる装飾部材を備えた遊技機であって、前記装飾部材は、所定の軸回りに回転する第１役物と、前記第１役物を回転駆動する第１駆動源と、所定の軸回りに所定の回転角度の範囲で往復回転運動するアーム部材と、前記アーム部材を回転駆動する第２駆動源と、前記アーム部材に所定の軸回りの回転が可能となるように設けられ、前記第２駆動源により前記アーム部材が所定の軸回りに所定の回転角度の範囲で往復回転運動したときに発生する慣性力を受けて回転する第２役物と、を備える。
【０００７】
請求項１に記載の発明によれば、第１役物は、第１駆動源により駆動されて所定の軸回りに独自に回転する。また、アーム部材は、第２駆動源により駆動されて所定の軸回りに所定の回転角度の範囲で往復回転運動する。同時に、第２役物は、アーム部材に設けられているため、アーム部材の往復回転運動に連動するように移動する。このとき、第２役物は、アーム部材の往復回転運動に伴って発生する慣性力を受けて回転する。このように、アーム部材が所定の軸回りに往復回転運動することにより第２役物がアーム部材と連動して移動するとともに、独自に回転動作する。また、第１役物の回転と第２役物の回転とで一体の斬新な回転演出を実現することができる。これにより、複数の駆動源を用いるものの、アーム部材の往復回転運動に伴う連動動作とアーム部材の往復回転運動に伴って発生する慣性力を利用して、第２役物の回転動作を実現することができる。この結果、駆動源や駆動力伝達機構を大型化することなく、第１役物及び第２役物の斬新な動作を実現することができる。
【０００８】
請求項２に記載の発明は、請求項１に記載の遊技機において、前記第２役物は、回転軸を備え、前記アーム部材は、前記回転軸が挿通され前記回転軸の径よりも大きな径の孔部を有し、前記第２役物は、前記回転軸が前記孔部に挿通されて前記アーム部材に設けられる。
【０００９】
請求項２に記載の発明によれば、第２役物は回転軸が孔部に挿通されてアーム部材に設けられているが、孔部の直径が回転軸の直径よりも大きいため、回転軸と孔部との間に隙間が形成された状態で、第２役物がアーム部材に支持されている。これにより、第２役物は、アーム部材の孔部の内周面から作用する摩擦力の影響をほとんど受けることなく、回転することになる。この結果、第２役物は自重により回転し易くなるため、アーム部材のわずかな往復回転運動が生じた場合でも、第２役物を確実に回転させることができる。
【００１０】
請求項３に記載の発明は、請求項１又は２に記載の遊技機において、前記回転軸に、前記第２役物の重量よりも大きな重量の錘部を備え、前記アーム部材の前記往復回転運動又は前記第２役物の所定の軸回りの回転に伴い揺動する振り子部材を設けたものである。
【００１１】
請求項３に記載の発明によれば、アーム部材が所定の軸回りに往復回転運動したり、あるいは第２役物が所定の軸回りに回転すると、振り子部材が揺動する。このとき、振り子部材の錘部の重量が第２役物の重量よりも大きいため、振り子部材の揺動が第２役物の重量により大きく減衰（吸収）されることがなく、振り子部材は、自在に揺動する。これにより、振り子部材の揺動動作の影響を受けることにより、駆動源や駆動力伝達機構を大型化することなく、第２役物の回転動作を長時間継続させることができる。
【発明を実施するための最良の形態】
【００１２】
次に、本発明の第１実施形態に係る遊技機について、図面を参照して説明する。なお、本実施形態では本発明を弾球遊技機の一例であるパチンコ機に適用した構成を説明する。
【００１３】
図１に示すように、第１実施形態に係るパチンコ機（遊技機）１０の前面部には、主として、外枠１２と、内枠１４と、前面枠１６と、上皿部１８と、下皿部２０と、施錠装置２２と、発射ハンドル２４と、が設けられている。
【００１４】
外枠１２は、木製の板状体を略長方形の額縁状に組立て固着したものである。内枠１４は、全体がブラスチック製で、外枠１２に対して開閉可能に軸支されている。また、内枠１４の右端中央からやや下方には、施錠装置２２が設けられている。
【００１５】
前面枠１６は、本発明の前面扉の一具体例を示すもので、パチンコ機１０の前面部全体の約２／３のサイズを占め、内枠１４の左端に開閉可能となるように軸支されている。また、前面枠１６は、全体がプラスチック製であり、遊技盤２６（図２参照）を前方から視認するべく、遊技盤２６に形成された遊技領域２８（図２参照）の形状に対応して略円形に形成された開口部３０を有している。また、前面枠１６の裏面には、ガラス板３２がガラス枠（図示省略）によって取り付けられている。そして、遊技者を基準とすれば、遊技盤２６に形成された遊技領域２８はガラス板３２の後方に位置するようになっている。
【００１６】
また、前面枠１６の下方側には、上皿部１８が設けられている。この上皿部１８には、演出ボタン４０と、球貸操作部１５５と、がそれぞれ設けられている。
【００１７】
また、上皿部１８の下方側には、下皿部２０が設けられている。また、下皿部２０の右下方側には、遊技球を発射させるための発射ハンドル２４が設けられている。この発射ハンドル２４には、発射レバー４４と、発射停止ボタン４６がそれぞれ設けられている。
【００１８】
また、下皿部２０の左右下方側には、所定の効果音を出力するための各サブスピーカ４８がそれぞれ設けられている。
【００１９】
また、内枠１４には、遊技領域２８の形状に合致した開口部（図示省略）が形成されている。この内枠１４の内側面には、遊技盤２６が取り付けられる。これにより、遊技者は、遊技盤２６の遊技領域２８を内枠１４の開口部及び前面枠１６の開口部３０を通して視認することができる。
【００２０】
さらに、パチンコ機１０の正面左側には、球貸装置１５４が設けられている。本実施形態では、球貸装置１５４として、ＣＲユニットが適用されている。この球貸装置１５４には、プリペイドカードを挿入するカード挿入口１５７が形成されている。なお、球貸装置１５４として、現金ユニットを設けた構成でもよい。この現金ユニットには、カード挿入口１５７に替えて、現金を入れるための現金投入口（図示省略）が形成されている。
【００２１】
また、球貸操作部１５５には、球貸しを要求するための球貸スイッチ（貸出操作手段）１５６と、カード挿入口１５７に挿入されたプリペイドカードの返却を要求するための返却スイッチ１５８と、がそれぞれ設けられている。
【００２２】
例えば、球貸装置１５４のカード挿入口１５７にプリペイドカードを挿入すると、プリペイドカードの記憶情報が球貸装置１５４内部のカードリードライタにより読み取られる。プリペイドカードの残り度数が「０」である場合には、カード挿入口１５７から自動的にプリペイドカードが返却される。一方、プリペイドカードの残り度数が「０」でない場合には、球貸スイッチ１５６を押圧操作すると、カードリードライタによりプリペイドカードの残り度数が減算されてプリペイドカードの記憶情報が書き換えられると共に、その減算された度数（貸出金額）に対応する個数が引かれて、遊技球（貸球）が払出装置１６１から上皿部１８に案内される。このとき、例えば、プリペイドカードの残り度数が減算されて「０」となった場合には、カード挿入口１５７から自動的にプリペイドカードが返却される。
【００２３】
なお、球貸装置１５４として現金ユニットを用いる構成では、球貸装置の現金投入口に現金を投入すると、現金が球貸装置内部のキャッシュカウンタによりカウントされる。投入金額が所定の額に到達した後、球貸スイッチを押圧操作すると、キャッシュカウンタにより投入金額が減額されていくとともに、その減額された金額（貸出金額）に対応する個数が引かれて、遊技球（貸球）が払出装置１６１から上皿部１８に案内される。
【００２４】
次に、遊技盤２６の表面構造について説明する。
【００２５】
図２に示すように、遊技盤２６は、内枠１４に保持されるとともに、裏機構盤によりその背面側が覆われている。遊技盤２６には、遊技盤２６の表面に設けられた外レール５０と内レール５２とにより略円形状の遊技領域２８が形成されている。遊技領域２８の内部には、主として、始動口５６Ｂと、センター役物６４と、ワープ入球口５８と、多数の障害釘６０等と、がそれぞれ配設されている。
【００２６】
センター役物６４は、遊技領域２８の略中央部に配置されており、主として、演出図柄表示装置（図柄表示装置）６２と、ランプ類６６と、装飾部材２００と、を備えている。
【００２７】
演出図柄表示装置６２は、主制御基板１０２（図３参照）やサブ制御基板１０６（図３参照）からの制御信号に基づいて表示制御されており、略長方形状の表示面（表示領域）６２Ａを有している。この表示面６２Ａ上には、特別図柄の演出図柄が表示される。具体的には、演出図柄表示装置６２の表示面６２Ａ上には、１又は複数の演出図柄を所定の方向に次々と変動させながら表示した後、停止表示する演出図柄表示領域が形成されている。すなわち、左演出図柄を表示する左演出図柄表示領域、中央演出図柄を表示する中央演出図柄表示領域、及び右演出図柄を表示する右演出図柄表示領域が、略横一列となる配置方向に沿って並んで形成されている（それぞれ図示省略）。各演出図柄表示領域は、これらの表示領域の配置方向と略直交する方向（上下方向）に図柄変動方向が設定されており、その方向に複数の演出図柄が順次表示されていく。
【００２８】
演出図柄表示装置６２は、遊技球が始動口５６Ｂに入球することにより、その表示面の表示領域に表示される各演出図柄をそれぞれ変動させて停止表示させるものである。そして、例えば、演出図柄が「７、７、７」の３桁同一図柄で揃って停止表示（確定表示）すると、変動入賞装置８０に配設された大入賞装置８４の大入賞口８６が開放される。本実施形態のパチンコ機１０では始動口５６Ｂに遊技球が入球すると、各演出図柄がそれぞれ変動され、演出図柄が３桁同一図柄で揃うことにより、「大当り」という特定価値を付与するものである。
【００２９】
ここで、本実施形態のパチンコ機１０では、例えば、大当りとして２種類のものが予め設定されている。具体的には、「７、７、７」などの同一の奇数数字の演出図柄が３桁揃うことにより成立する確変大当りがある。また、「８、８、８」などの同一の偶数数字の演出図柄が３桁揃うことにより成立する通常大当りがある。
【００３０】
確変大当り及び通常大当りは、比較的多くのラウンド数（例えば、１５ラウンド）を有し、大入賞口８６の開放時間が約２６秒間である大当りである。このため、賞球数が比較的多くなる。なお、各大当りでは、大入賞口８６に所定数（例えば、１０個）の遊技球が入球するか、あるいは所定数（例えば、１０個）の遊技球が入球しなくても所定時間（例えば、２６秒間）が経過したときに大入賞口８６が閉じられて１ラウンドが終了する。
【００３１】
また、確率変動状態は、大当り（確変大当り及び通常大当りの２種類の大当りを意味する）に移行する確率が予め定められた高確率となる状態である。また、開放時間延長状態は、始動口５６Ｂの開放時間が通常よりも延長される状態である。例えば、通常の開放時間は、約０．１秒間であるのに対して、開放時間延長状態では、約４秒間に延長される。なお、始動口５６Ｂは、普通図柄の抽選に当選することにより開放するもので、普通電動役物として機能する。
【００３２】
また、確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ始動口５６Ｂの開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ始動口５６Ｂの開放延長機能が作動する時短遊技状態となる。
【００３３】
センター役物６４は、演出図柄表示装置６２の前面周辺部に突設して装着されている。センター役物６４は、可動する一対の翼片部６４Ａを有している。この翼片部６４Ａの可動によりワープ入球口５８の開口面積が変化する。
【００３４】
演出図柄表示装置６２の近傍には、装飾部材２００が設けられている。
ここで、本発明の要部である装飾部材２００の構成について詳細に説明する。
【００３５】
図５乃至図７に示すように、装飾部材２００は、アーム部材２０２を備えている。アーム部材２０２の下方側取付部２０４には、軸部２０６が設けられている。この軸部２０６には、第１駆動力伝達部材が設けられている。第１駆動軸伝達部材は、軸部２０６に固定される筒状部２０８と、筒状部２０８に形成された駆動片２１０と、で構成されている。駆動片２１０には、後述の上下駆動部材２３０から駆動力が伝達され、この駆動力を受けてアーム部材２０２が軸部２０６の軸回りに所定の回転角度の範囲だけ往復回転運動（回転運動）する。また、アーム部材２０２の軸部２０６の近傍には、位置決めピン２１２が設けられている。位置決めピン２１２が後述の上下駆動部材２３０の係合部２３４と係合することにより、アーム部材２０２と上下駆動部材２３０との相対的な位置関係を規定している。また、アーム部材２０２の下方側取付部２０４には、楕円状の開口部２１４が形成されている。この開口部２１４には、後述の上下駆動部材２３０の位置決めピン２４０が挿通されている。アーム部材２０２が軸部２０６の軸回りに回転すると、上下駆動部材２３０の位置決めピン２４０が開口部２１４の内部を移動するとともに、開口部２１４の端面で位置決めされる。このため、上下駆動部材２３０の位置決めピン２４０とアーム部材２０２の開口部２１４とは、アーム部材２０２が往復回転運動を円滑かつ確実に実行するための、ガイド部材として機能する。以上のように、アーム部材２０２の下方側取付部２０４には、駆動力伝達機構や位置決め機構などが設けられている。
【００３６】
アーム部材２０２の下方側取付部２０４には、上方側取付部２１６が一体形成されている。上方側取付部２１６には、複数（本実施形態では３個）の小型風車（第２役物）２２０が回転可能に設けられている。すなわち、アーム部材２０２の上方側取付部２１６には複数の貫通孔２１８が形成されており、各小型風車２２０の各回転軸（孔部）２２２が対応する各貫通孔２１８に挿入されることにより、各小型風車２２０がアーム部材２０２に対して回転可能となるように支持されている。なお、各小型風車２２０の各回転軸２２２は、アーム部材２０２の各貫通孔２１８に挿入された後、ねじ及び座金などの固着具２２４により上方側取付部２１６の各貫通孔２１８の開口縁に固定される。これにより、各小型風車２２０は、アーム部材２０２の上方側取付部２１６から離脱しないようになっている。
【００３７】
各小型風車２２０は、相互に９０度の角度を開けて形成された４つの羽根部２２６と、４つの羽根部２２６の表面側中心に取り付けられた中央装飾部２２９と、４つの羽根部２２６の裏面側中心に取り付けられた上記回転軸２２２と、で構成されている。４つの羽根部２２６には、風の作用を受けて各羽根部２２６を回転させるための空気流調整部２２８が形成されている。このように、アーム部材２０２の上方側取付部２１６には、小型風車２２０などの装飾部材が設けられている。
【００３８】
ここで、図７に示すように、アーム部材２０２の貫通孔２１８の内径（直径）が各小型風車２２０の各回転軸２２２の外径（直径）よりも大きくなるように設定されている。このため、各小型風車２２０の各回転軸２２２が各貫通孔２１８に挿入された状態では、各回転軸２２２の外周と各貫通孔２１８の内周との間には、所定の隙間Ｄが形成される。このように、各小型風車２２０は、いわゆるフリーの状態でアーム部材２０２に設けられている。この結果、各小型風車２２０が回転するときに各回転軸２２２と貫通孔２１８との間で大きな摩擦力が発生することを抑制できるため、各小型風車２２０の各回転軸２２２回りの回転動作が著しく容易になる。なお、各小型風車２２０の各回転軸２２２には、アーム部材２０２の上方側取付部２１６の裏面側から貫通孔２１８の直径よりも大きな直径の座金を介してねじで固定されているため、各回転軸２２２の外周と各貫通孔２１８の内周との間に、所定の隙間Ｄが形成された場合でも、各小型風車２２０が上方側取付部２１６から抜け落ちてしまうことがない。
【００３９】
アーム部材２０２の近傍には、上下駆動部材２３０が設けられている。この上下駆動部材２３０は、遊技盤２６に対して位置決め固定されている。上下駆動部材２３０は、例えば、ソレノイド（第２駆動源）２３１（図４参照、駆動モータでも可能）などの駆動源により上下方向（図６中矢印Ｘ方向）に直線往復運動を実行する。なお、ソレノイド２３１などの駆動源は、サブ制御基板１０６（図３参照）、さらに具体的には装飾駆動基板１１４（図４参照）により駆動制御される。上下駆動部材２３０の側面には、複数の突起部２３２が上下方向（軸方向）に所定の間隔を設けて形成されている。突起部２３２は、アーム部材２０２側の駆動片２１０と係合している。このため、上下駆動部材２３０が上方向（図６中矢印Ａ方向）に移動すると、駆動片２１０の下側に位置する突起部２３２によって駆動片２１０が上方向に向かって押され、アーム部材２０２は、所定の方向（図６中矢印Ｓ方向）に所定の回転角度だけ軸部２０６回りに回転する。一方、上下駆動部材２３０が下方向（図６中矢印Ｂ方向）に移動すると、駆動片２１０の上側に位置する突起部２３２によって駆動片２１０が下方向に向かって押され、アーム部材２０２は、所定の方向（図６中矢印Ｔ方向）に所定の回転角度だけ軸部２０６回りに回転する。このようにして、上下駆動部材２３０が上下方向（図６中矢印Ｘ方向）に移動することにより、アーム部材２０２は、軸部２０６の軸回りに所定の回転角度の範囲にわたって往復回転運動する。この現象は、遊技者側から、あたかもアーム部材２０２が液晶表示装置６２の前方を左右方向に揺動しているかのように視認される。
【００４０】
また、上下駆動部材２３０には、アーム部材２０２の位置決めピン２１２と係合する係合部２３４が形成されている。係合部２３４は、上下駆動部材２３０の突起部２３２の近傍に上下方向に沿って延びる平面接触部２３６と、平面接触部２３６から直交する方向に突出した突出部２３８と、で構成されている。アーム部材２０２が軸部２０６の軸回りに回転して初期位置に戻る際に、位置決めピン２１２が平面接触部２３６に当接することにより軸回りの回転が位置決めされる。また、アーム部材２０２が初期位置の状態で上下駆動部材２３０の上下方向への移動を開始する場合には、アーム部材２０２は、軸回りに回転し往復回転運動（揺動）することになるが、駆動片２１０などの破損により上下駆動部材２３０の駆動力がアーム部材２０２に伝達しない場合には、当然ながら、アーム部材２０２の軸部２０６の軸回りに回転しない。このとき、アーム部材２０２の位置決めピン２１２が上下駆動部材２３０の突出部２３２と係合することにより、上下駆動部材２３０の下方向への移動を阻止することができる。
【００４１】
また、アーム部材２０２の小型風車２２０の近傍には、１個（単数）の大型風車（第１役物）２４２が設けられている。大型風車２４２は、３個の小型風車２２０の略中心に位置するように配置されている。大型風車２４２は、小型風車２２０を大型に設計したものであり、相互に９０度の角度を開けて形成された４つの羽根部２４４と、４つの羽根部２４４の表面側中心に取り付けられた中央装飾部２４６と、４つの羽根部２４４の裏面側中心に取り付けられた回転軸２４８と、で構成されている。４つの羽根部２４４には、風の作用を受けて各羽根部２４４を回転させるための空気流調整部２５０が形成されている。
【００４２】
回転軸２４８の軸方向端部には、従動ギア２５２が取り付けられている。また、回転軸２４８の従動ギア２５２の近傍には、従動ギア２５２と共に回転する円板部材２５４が取り付けられている。この円板部材２５４には、大型風車２４２の回転位置を位置決め制御するための遮蔽部２５６が形成されている。また、円板部材２５４の近傍には、検出センサ１１７が設けられている。この検出センサ１１７は、例えば、発光部１１７Ａと、受光部１１７Ｂと、で構成されており、発光部１１７Ａと受光部１１７Ｂとの間に遮蔽部２５６が位置することにより、発光部１１７Ａの光が受光部１１７Ｂで受光されなくなる。この性質を利用して、受光部で光が受光されているか否かを基準に、遮蔽部２５６の位置を特定でき、これにより、大型風車２４２の回転位置を把握することができる。なお、検出センサ１１７での検出結果は、検出信号としてサブ制御基板１０６（図３参照）に対して出力される。
【００４３】
従動ギア２５２の近傍には、駆動モータ（第１駆動源）２５８が設けられている。駆動モータ２５８の回転軸には、従動ギア２５２と噛み合う駆動ギア２６０が取り付けられている。駆動モータ２５８が駆動すると、駆動ギア２６０が回転軸と共に回転するとともに、従動ギア２５２が駆動ギア２６０に連動して回転する。従動ギア２５２が回転することにより、回転軸２４８が従動ギア２５２と共に回転し、大型風車２４２が回転する。なお、駆動モータ２５８は、サブ制御基板１０６（図３参照）、さらに具体的には装飾駆動基板１１４（図４参照）により駆動制御される。駆動モータ２５８及び大型風車２４２は、遊技盤２６側に固定されている。なお、駆動モータ２５８及び大型風車２４２は、アーム部材２０２の往復回転運動と連動するように、遊技盤２６側に対して相対移動可能に構成してもよい。
【００４４】
ここで、大型風車２４２の回転軸２４８とアーム部材２０２の上方側取付部２１６とには、リンク部材２６４が掛け渡されている。リンク部材２６４の一方側端部には、長孔２６６が形成されている。この長孔２６６には、アーム部材２０２の上方側取付部２１６に形成された位置決めピン２６８が挿通されている。リンク部材２０２の他方側端部には貫通孔（図示省略）が形成されている。この貫通孔には、大型風車２４２の回転軸２４８が回転可能となるように挿通されている。このため、アーム部材２０２が軸部２０６の軸回りに回転すると、大型風車及び駆動モータ２５８が固定されているため、アーム部材２０２が大型風車２４２の回転軸２４８の軸回りに、かつアーム部材２０２の上方側端部２１６及び下方側端部２０４と連動するように回転する。このように、リンク部材２６４は、大型風車２４２及び駆動モータ２５８が固定された状態で、アーム部材２０２が往復回転運動（回転動作）できる構成を実現している。
【００４５】
また、図２に示すように、遊技領域２８の左下方側には、主制御基板１０２からの制御信号に基づいて識別図柄（特別図柄の識別図柄及び普通図柄の識別図柄を意味する）を表示制御する７セグ表示基板（図柄表示装置）６８が配置されている。この７セグ表示基板６８は、特別図柄の識別図柄を表示する７セグメント表示器７０と、４個の普通図柄保留表示ＬＥＤ７２と、４個の特別図柄保留表示ＬＥＤ７４と、普通図柄の識別図柄を表示する２個の普通図柄表示ＬＥＤ７６と、を有している。
【００４６】
ここで、確変大当りした場合では、７セグメント表示器７０には、予め定められた識別図柄（例えば、奇数の数字からなる確変大当り図柄）が停止表示される。また、通常大当りした場合では、７セグメント表示器７０には、予め定められた別の識別図柄（例えば、偶数の数字からなる通常大当り図柄）が停止表示される。
【００４７】
また、演出図柄表示装置６２の左側には、普通図柄作動ゲート７８が配置されている。この普通図柄作動ゲート７８の内部には、ゲートスイッチ１２４（図３参照）が配設されている。これにより、遊技球が普通図柄作動ゲート７８を通過すると、ゲートスイッチ１２４が作動して、７セグ表示基板６８の普通図柄表示ＬＥＤ７６が変動表示される。
【００４８】
各普通図柄保留表示ＬＥＤ７２及び各特別図柄保留表示ＬＥＤ７４は、４個の丸形の赤色ＬＥＤで構成されており、７セグメント表示器７０の左右両側に近接して配置されている。これは、普通図柄作動ゲート７８を通過した遊技球の数を４個まで普通図柄の保留とし、通過ごとに順次点灯しシフト表示するものである。また、始動口５６Ｂに入球した遊技球の数も４個まで特別図柄の保留とし、入球ごとに順次点灯しシフト表示するものである。７セグメント表示器７０の変動表示が開始する度に、未始動回数が消化され、１個の特別図柄保留表示ＬＥＤ７４は消灯される。また、普通図柄も普通図柄表示ＬＥＤ７６の変動表示が開始するたびに、未始動回数が消化され、１個の普通図柄保留表示ＬＥＤ７２が消灯される。そして、７セグメント表示器７０に予め定められた大当り図柄が停止表示されると大当りが発生し、大入賞口８６が開放状態となる。また、２個の普通図柄表示ＬＥＤ７６が予め定められた表示態様（当り図柄）で停止表示されると、普通図柄当りが発生し、始動口５６Ｂが開放状態となる。なお、７セグメント表示器７０にて表示される特別図柄の識別図柄と、演出図柄表示装置６２にて表示される特別図柄の演出図柄とは、同一の遊技結果（抽選結果）を示すものである。
【００４９】
始動口５６Ｂは、演出図柄表示装置６２の下方に離れて配置されているものであり、いわゆるチューリップ式で一対の翼片部材５６Ａが開閉するように形成されている。その内部には、遊技球の通過を検知する始動口スイッチ１２０（図３参照）と、翼片部材５６Ａを作動させるための始動口ソレノイド１３０（図３参照）と、がそれぞれ備えられている。この一対の翼片部材５６Ａが左右に開くと始動口５６Ｂの開放面積が大きくなって遊技球の入球可能性が大きくなる開放状態となり、一対の翼片部材５６Ａが閉じその離間距離が小さくなると始動口５６Ｂの開放面積が小さくなって遊技球の入球の可能性が小さくなる通常状態となる。
【００５０】
変動入賞装置８０は、始動口５６Ｂの下方に配置されており、基板８２と、大入賞装置８４と、を備えている。ここで、大入賞装置８４は、略中央に配置されており、帯状に開口された大入賞口８６と、この大入賞口８６を開放又は閉鎖する開閉板８８と、この開閉板８８を開閉するための大入賞口ソレノイド１３２（図３参照）と、入賞球を検知するカウントスイッチ１２６（図３参照）と、を備えている。
【００５１】
また、センター役物６４の左側下方部には、風車６３が配置されている。さらに、遊技領域の左側下方部及び右側下方部には、一対のサイドランプ９０がそれぞれ配置されている。
【００５２】
また、遊技盤２６の下方にはアウト口９２が設けられており、このアウト口９２の下部にはバック球防止部材９４が設けられている。このバック球防止部材９４は、遊技領域２８に到達せず戻ってきた遊技球が再び発射位置に戻ることを防止している。また、内レール５２の先端部には、ファール球防止部材９６が取り付けられている。
【００５３】
次に、パチンコ機１０を構成する電子制御装置について説明する。
【００５４】
図３及び図４に示すように、電子制御装置は、主制御基板１０２と、払出制御基板１０４と、サブ制御基板１０６と、発射制御基板１０８と、を備えている。
【００５５】
主制御基板１０２は、ＣＰＵ１０２Ａと、ＲＯＭ１０２Ｂと、を備えている。主制御基板１０２のＣＰＵ１０２Ａは、ＲＯＭ１０２Ｂに記憶されたデータに基づいて、始動口ソレノイド１３０、大入賞口ソレノイド１３２、図柄表示装置１３４及びサブ制御基板１０６をそれぞれ制御する。また、主制御基板１０２のＣＰＵ１０２Ａは、遊技全体を司り主として当否判定などの遊技状態を判断するものである。
【００５６】
特に、ＣＰＵ１０２Ａは、始動口５６Ｂへの遊技球の入球を契機として、大当り抽選処理（特別遊技抽選処理）を実行し、任意の乱数（特別図柄当否判定乱数）を用いて当否を判定する機能を備えている。また、特別図柄の当否判定の実行に伴って、ＣＰＵ１０２Ａは、特別図柄（識別図柄）の変動パターン（変動時間）を決定する機能も備えている。
【００５７】
この識別図柄の変動パターンは、演出図柄表示装置６２に表示される各演出図柄の演出パターン（遊技演出）に対応するもので、ＣＰＵ１０２Ａが行う「識別図柄の変動パターンの決定」は、「演出図柄の演出パターン（遊技演出）の決定」に相当する。そして、特別図柄（識別図柄）の変動パターン（演出図柄の演出パターン）が決定されると、７セグメント表示器７０で特別図柄（識別図柄）の変動表示が開始されるとともに、演出図柄表示装置６２で演出図柄の変動表示が開始され、決定された変動パターンにより特定される変動時間が経過すると、特別図柄および演出図柄が停止表示され、その停止表示された演出図柄の図柄組み合わせ態様により、特別図柄の当否判定結果（大当り抽選結果）が遊技者に報知される。なお、演出図柄表示装置６２は、遊技盤２６の表面（盤面）略中央に、遊技者の視野に入り易い状態で配置される。一方、７セグメント表示器７０は、遊技盤２６の表面（盤面）の端部（本実施形態では盤面左側端部）に、遊技者の視野に入り難い状態で配置される。このことから、遊技者は演出図柄表示装置６２の表示内容に注目して遊技を行うのが一般的である。
【００５８】
そして、ＣＰＵ１０２Ａは、上述した演出図柄の変動表示及び停止表示の制御を行うサブ制御基板１０６、及び遊技盤面に設けられた各種入賞口に遊技球が入球することで発生する賞球の払い出し制御を行う払出制御基板１０４を直接的に制御する。また、主制御基板１０２のＣＰＵ１０２Ａは、演出表示基板１１０、アンプ基板１１２、装飾駆動基板１１４及び演出ボタン基板１１６を、サブ制御基板１０６を介して間接的に制御する。
【００５９】
主制御基板１０２のＲＯＭ１０２Ｂには、ＣＰＵ１０２Ａにより実行される遊技全体の制御を実現するためのプログラムが記憶されている。
【００６０】
また、主制御基板１０２は、中継端子板１１８を介して、始動口スイッチ１２０と、大入賞口スイッチ１２２と、ゲートスイッチ１２４と、カウントスイッチ１２６と、にそれぞれ電気的に接続されている。
【００６１】
また、主制御基板１０２は、中継端子板１２８を介して、始動口ソレノイド１３０と、大入賞口ソレノイド１３２と、図柄表示装置１３４と、にそれぞれ電気的に接続されている。なお、７セグ表示基板６８は、図柄表示装置１３４の一実施形態である。
【００６２】
払出制御基板１０４は、中継端子板１３６を介して、ガラス枠スイッチ１３８と、外部タンクスイッチ１４０と、タンクスイッチ１４２と、にそれぞれ電気的に接続されている。また、払出制御基板１０４は、中継端子板１４４を介して、エラーＬＥＤ１４６に電気的に接続されている。また、払出制御基板１０４は、下皿満タンスイッチ１４８に電気的に接続されている。また、払出制御基板１０４は、中継端子板１５０を介して、球貸表示基板１５２と、球貸装置（ＣＲユニット）１５４と、にそれぞれ電気的に接続されている。
【００６３】
なお、球貸表示基板１５２には、球貸スイッチ１５６と、返却スイッチ１５８と、がそれぞれ電気的に接続されている。また、払出制御基板１０４は、中継端子板１６０を介して、払出モータ１６２を備えた払出装置１６１と払出スイッチ１６４とにそれぞれ電気的に接続されている。さらに、払出制御基板１０４は、主制御基板１０２と発射制御基板１０８とにそれぞれ電気的に接続されている。
【００６４】
サブ制御基板１０６は、演出表示基板１１０と、アンプ基板１１２と、装飾駆動基板１１４と、演出ボタン基板１１６と、検出センサ１１７と、にそれぞれ電気的に接続されている。
【００６５】
また、サブ制御基板１０６は、主制御基板１０２からの制御信号に基づいて遊技の演出の制御を司るものである。また、サブ制御基板１０６は、ＣＰＵ１０６Ａと、ＲＯＭ１０６Ｂと、を備えている。
【００６６】
サブ制御基板１０６のＣＰＵ１０６Ａは、主制御基板１０２からの制御信号を受けて演出表示基板１１０、アンプ基板１１２、装飾駆動基板１１４及び演出ボタン基板１１６などの各基板を制御する。また、ＲＯＭ１０６Ｂには、各基板の制御に必要なデータが記憶されている
【００６７】
図４に示すように、演出表示基板１１０には、演出表示装置１６６（６２）と、演出表示ＲＯＭ１６８と、がそれぞれ電気的に接続されている。この演出表示ＲＯＭ１６８には、演出図柄表示装置６２に変動表示及び停止表示される演出図柄のデータ（画像データ）が記憶されている。なお、演出図柄表示装置６２は、演出表示装置１６６の一実施形態である。
【００６８】
また、アンプ基板１１２には、所定の効果音を出力する各種スピーカ１７０（４８）が電気的に接続されている。なお、サブスピーカ４８は、各種スピーカ１７０の一実施形態である。
【００６９】
また、装飾駆動基板１１４には、各種ＬＥＤ・ランプ１７２（６６）と、ソレノイド２３１と、駆動モータ２５８と、が電気的に接続されている。また、装飾駆動基板１１４は、サブ制御基板１０６からの制御信号を受けて遊技の装飾に関する制御を行うものである。特に、装飾駆動基板１１４は、サブ制御基板１０６からの制御信号に基づいて、駆動モータ２５８及びソレノイド２３１の駆動を制御する。装飾駆動基板１１４はＲＯＭ１１５を備えており、このＲＯＭ１１５には、装飾部材２００の動作に関する動作プログラムが記憶されている。具体的には、所定の遊技条件（例えば、大当り遊技など）が成立したときに、装飾部材２００のアーム部材２０２が軸回りに往復回転運動（回転）する動作プログラムが記憶されている。このため、所定の遊技条件（例えば、大当り遊技など）が成立したときに、装飾部材２００（特に、アーム部材２０２及び各風車２２０、２４２）が揺動するため、遊技者は、斬新な遊技演出に驚くことになる。また、演出ボタン基板１１６には、操作スイッチ１７４（４０）が電気的に接続されている。なお、ランプ類６６は、各種ＬＥＤ・ランプ１７２の一実施形態である。また、演出ボタン４０は、操作スイッチ１７４の一実施形態である。
【００７０】
次に、第１実施形態に係る遊技機の作用について説明する。
なお、装飾部材２００の初期位置は、図２及び図５に示すように、上下方向に直立した状態になり、遊技者は、装飾部材２００の一部のみを視認することができる。ただ、当然ながら、装飾部材２００の初期位置として、装飾部材２００の全てを遊技者から視認不可能となるように設定してもよい。
【００７１】
図５乃至図９に示すように、所定の遊技条件（例えば、大当り遊技など）が成立した場合には、装飾駆動基板１１４により駆動モータ２５８が駆動される。これにより、駆動モータ２５８が駆動すると、駆動ギア２６０及び従動ギア２５２が回転し、大型風車が回転する。
【００７２】
同時に、装飾駆動基板１１４によりソレノイド２３１が駆動される。これにより、上下駆動部材２３０が上方向（図５及び図６中矢印Ａ方向）に移動する。上下駆動部材２３０が上方向（図５及び図６中矢印Ａ方向）に向かって所定の距離だけ移動すると、駆動片２１０が上下駆動部材２３０の突起部２３２により上方向に押圧される。この結果、アーム部材２０２の軸部２０６が正方向（図５及び図６中矢印Ｓ方向）に所定の角度だけ回転する。
【００７３】
図８及び図９に示すように、アーム部材２０２の軸部２０６が正方向（図９中矢印Ｓ方向、遊技者から見て左側）に所定の角度だけ回転すると、装飾部材２００を構成する複数の小型風車２２０がアーム部材２０２と連動して左側に回転動作する。また、アーム部材２０２の軸部２０６が正方向（図９中矢印Ｓ方向、遊技者から見て左側）に所定の角度だけ回転した後、上下駆動部材２３０が下方向（図９中矢印Ｂ方向）に移動する。上下駆動部材２３０が下方向（図９中矢印Ｂ方向）に向かって所定の距離だけ移動すると、駆動片２１０が上下駆動部材２３０の突起部２３２により下方向（図９中矢印Ｂ方向）に押圧される。この結果、アーム部材２０２の軸部２０６が逆方向（図９中矢印Ｔ方向）に所定の角度だけ回転する。
【００７４】
このように、アーム部材２０２は、軸部２０６の軸回りを正方向（図５、図６及び図９中矢印Ｓ方向）又は逆方向（図５、図６及び図９中矢印Ｔ方向）に所定の角度範囲にわたって回転する。この結果、複数の小型風車２２０及びアーム部材２０２は、軸部２０６の回りで揺動するかのように動作する。複数の小型風車２２０及びアーム部材２０２の揺動動作により、遊技者には、複数の小型風車２２０及びアーム部材２０２が左方向（図５、図６及び図９中矢印Ｓ方向）又は右方向（図５、図６及び図９中矢印Ｔ方向）に往復回転運動（往復回転動作）しているかのように視認される。複数の小型風車２２０及びアーム部材２０２の往復回転動作は、所定の回数（所定の時間：例えば、大当り遊技が継続している時間など）だけ継続される。なお、アーム部材２０２の往復回転運動の際には、リンク部材２６４が軸方向他方側端部を中心に回転するため、大型風車２４２を固定した状態で、アーム部材２０２のみを回転動作させることができる。
【００７５】
ここで、アーム部材２０２が往復回転運動（揺動動作）すると、各小型風車２２０には、所定の慣性力が作用する。この慣性力は、運動している物体の質量をＭ、運動している物体に外部から作用している力をＦ、運動している物体の加速度をＡとすると、その物体には、Ｆ−ＭＡ＝０という力学状態（つりあい方程式）が常に成立しており、この「−ＭＡ」で表現されるものである。また、この慣性力が作用する方向は、アーム部材２０２の回転方向によって変化する。この結果、アーム部材２０２が往復回転運動（揺動動作）する度に、各小型風車２２０には、異なる方向の所定の慣性力が交互に作用するため、各小型風車２２０は、慣性力の影響を受けて、回転軸２２２の軸回りに回転するようになる。換言すれば、小型風車２２０は、自重を有するが故に慣性力が作用し、この影響を受けて回転動作を実現する。これにより、各小型風車２２０の各羽根部２２６が回転する。加えて、各小型風車２２０の各空気流調整部２２８には、アーム部材２０２が回転動作することにより風の作用を受けるため、これによって、各羽根部２２６が回転する。このように、各小型風車２２０はアーム部材２０２の回転動作に伴って慣性力の影響と風の影響を受けるため、各羽根部２２６の回転動作を長時間継続することができる。
【００７６】
特に、図７に示すように、各小型風車２２０の回転軸２２２が各貫通孔２１８に挿入された状態では、各回転軸２２２の外周と各貫通孔２１８の内周との間には、所定の隙間Ｄが形成されている。このため、各小型風車２２０は、いわゆるフリーの状態でアーム部材２０２に支持されている。これにより、各小型風車２２０が回転するときに各回転軸２２２と貫通孔２１８との間で大きな摩擦力が発生することを抑制できるため、各小型風車２２０の各回転軸２２２の軸回りの回転動作が容易になる。この結果、各小型風車２２０に、わずかな慣性力や風が作用した場合でも、各羽根部２２６が容易に回転することになり、斬新な演出が長時間実行されることになる。
【００７７】
以上のように、所定の遊技条件（例えば、大当り遊技など）が成立すると、アーム部材２０２が往復回転運動し、これに伴い、小型風車２２０が回転する。また同時に、小型風車２２０とは、独立して、大型風車２４２が回転する。アーム部材２０２が左方向に大きく回転したときには、遊技者は、装飾部材２００のほとんどを視認することになり、突然の斬新な演出に驚くことになる。
【００７８】
また、駆動モータ２５８とソレノイド２３１の複数の駆動源を用いるものの、アーム部材２０２の回転に伴う連動動作、アーム部材の回転に伴って発生する風力及び慣性力を利用して、小型風車２２０の動作を実現することができる。この結果、駆動源や駆動力伝達機構を大型化することなく、大型風車２４２及び小型風車２２０の斬新な動作を実現することができる。
【００７９】
次に、本発明の第２実施形態のパチンコ機について説明する。
なお、第１実施形態のパチンコ機の構成と重複する構成には同じ符号を付し、その説明を適宜省略する。
【００８０】
図１０に示すように、第２実施形態のパチンコ機の各小型風車２２０の回転軸２２２には、振り子部材２７０がそれぞれ設けられている。振り子部材２７０は、各小型風車２２０の質量よりも大きな質量の錘部２７２と、錘部２７２を支持する支持アーム２７４と、で構成されている。支持アーム２７４の軸方向一方側端部には、貫通孔（図示省略）が形成されており、この貫通孔には、各小型風車２２０の回転軸２２２が挿通されて固定されている。また、支持アーム２７４の軸方向他方側端部には、上記した錘部２７２が取り付けられている。このため、振り子部材２７０は、あたかも振り子のように、支持アーム２７４の軸方向一方側端部を回転中心として錘部２７２が揺動する。錘部２７２が揺動すると、その振り子部材２７０が固定されている固定軸２２２に対して回転駆動力が作用する。これにより、各小型風車２２０は、この回転駆動力を受けて、回転軸２２と共に左方向又は右方向の回転動作を実行する。
【００８１】
第２実施形態のパチンコ機によれば、アーム部材２０２の往復回転運動が終了した後も、各振り子部材２７０は、錘部２７２に作用する慣性力の影響を受けて、しばらくの時間、振り子のように揺動する。このとき、振り子部材２７０からの回転駆動力を受けて、各振り子部材２に接続されている各小型風車２２０の各羽根部２２６も回転する。これにより、アーム部材２０２の往復回転運動が終了した後も、振り子部材２７０の作用により、各小型風車２２０を回転動作させることができる。
【００８２】
また、振り子部材２７０は、空気抵抗力を受けて、その往復運動が減衰され、やがて停止することになるが、その停止する時間を予め計測しておくことにより、提示時間が経過する直前に、装飾駆動基板１１４によりソレノイド２３１を再度駆動させる。これにより、アーム部材２０２が再度往復回転動作を行い、各小型風車２２０の回転及び各振り子部材２７０の揺動が継続する。この結果、装飾部材２００による特別運出を、最小のエネルギで長時間継続させることができる。また、振り子部材２７０の揺動に伴い各小型風車２２０が回転するため、各小型風車２２０のそれぞれの回転動作に規則性がなくなり、斬新な遊技演出を実行することができる。
【図面の簡単な説明】
【００８３】
【図１】本発明の第１実施形態に係る遊技機の正面図である。
【図２】本発明の第１実施形態に係る遊技機の遊技盤（装飾部材が初期位置の状態）の正面図である。
【図３】本発明の第１実施形態に係る遊技機の電子制御装置の一部の構成を示すブロック図である。
【図４】本発明の第１実施形態に係る遊技機の電子制御装置を構成するサブ制御基板を説明するための説明図である。
【図５】本発明の第１実施形態に係る遊技機の装飾部材（初期位置の状態）の正面方向から見た斜視図である。
【図６】本発明の第１実施形態に係る遊技機の装飾部材（初期位置の状態）の背面方向から見た斜視図である。
【図７】本発明の第１実施形態に係る遊技機の装飾部材を構成する部分的な断面図である。
【図８】本発明の第１実施形態に係る遊技機の遊技盤（装飾部材が回転動作した状態）の正面図である。
【図９】本発明の第１実施形態に係る遊技機の装飾部材（回転動作した状態）の正面方向から見た斜視図である。
【図１０】本発明の第２実施形態に係る遊技機の装飾部材を構成する部分的な断面図である。
【符号の説明】
【００８４】
１０        パチンコ機（遊技機）
２６        遊技盤
２００      装飾部材
２０２      アーム部材
２１８      貫通孔
２２０      小型風車（第２役物）
２２２      回転軸（孔部）
２３１      ソレノイド（第２駆動源）
２４２      大型風車（第１役物）
２５８      駆動モータ（第１駆動源）
２７０      振り子部材
２７２      錘部
【図１】
2010029587.tif 000003
【図２】
2010029587.tif 000004
【図３】
2010029587.tif 000005
【図４】
2010029587.tif 000006
【図５】
2010029587.tif 000007
【図６】
2010029587.tif 000008
【図７】
2010029587.tif 000009
【図８】
2010029587.tif 000010
【図９】
2010029587.tif 000011
【図１０】
2010029587.tif 000012